【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
流体のＣＯ２濃度を減少させる方法であって、該方法は、
微量のＣＯ２を含む、または、ＣＯ２を含まない第一の気体のフローを適用すること；ならびに、
塩；および、
液体；
を含む流体に、少なくとも空気と水との平衡状態で見出される濃度よりも高い濃度でＣＯ２を含む第二の気体を適用すること、
を含み、それによって、前記流体中で固体炭酸塩が形成され、前記流体中のＣＯ２濃度が減少する、上記方法。
【請求項２】
流体サンプルのＣＯ２濃度を減少させる方法であって、該方法は：
（ｉ）塩を含む液体にＣＯ２のフローを適用して、溶解させた炭酸を形成する工程；および、
（ｉｉ）前記（ｉ）の炭酸溶液を塩基と混合する工程、
を含み、それによって、
前記（ｉｉ）における混合物のｐＨが９〜１２になり；および、
固体炭酸塩が形成され、前記流体サンプル中のＣＯ２濃度が減少する、上記方法。
【請求項３】
前記液体が、水溶液である、請求項１又は２に記載の方法。
【請求項４】
前記液体が天然の水であり、前記天然の水が、海水、汽水、地下帯水層水、湖水、川水、または、海洋水である、請求項３に記載の方法。
【請求項５】
前記液体が、脱塩プラントからの排水を含む、請求項１又は２に記載の方法。
【請求項６】
前記第二の気体が、人為的なプロセスの結果又は天然のプロセスの結果として汚染されている大気中の空気である、請求項１に記載の方法。
【請求項７】
前記流体サンプルが、人為的なプロセスの結果又は天然のプロセスの結果として汚染された空気を含む、請求項２に記載の方法。
【請求項８】
前記人為的なプロセスが、廃棄物、プラスチック、ポリマー、炭化水素、炭質材料、木材、化石燃料、石炭、褐炭、ナフサ、油、ガソリン、ディーゼル燃料、ケロシン、石油、液化石油ガス（ＬＰＧ）、天然ガス、ボトルドガス、メタン、ブタン、プロパン、ガソリン添加剤、エタノール、メタノール、バイオディーゼル、モノアルキルエステル、または、それらの組み合わせを燃焼させることを含む、請求項６又は７に記載の方法。
【請求項９】
前記塩が、カルシウムイオン、ナトリウムイオン、カリウムイオン、マグネシウムイオン、バリウムイオン、マンガンイオン、鉄イオン、ストロンチウムイオン、亜鉛イオン、アルミニウムイオン、または、それらのあらゆる組み合わせを含む、請求項１又は２に記載の方法。
【請求項１０】
前記第二の気体が、純粋なＣＯ２からなる、請求項１に記載の方法。
【請求項１１】
前記流体が、前記ＣＯ２が過飽和した水溶液である、請求項１に記載の方法。
【請求項１２】
前記第一の気体が、前記第二の気体の可溶化の前に適用される、請求項１に記載の方法。
【請求項１３】
前記第一の気体が、前記第二の気体の可溶化に続いて適用される、請求項１に記載の方法。
【請求項１４】
前記流体が、塩基性ｐＨを有する、請求項１に記載の方法。
【請求項１５】
前記第一の気体の導入の０．１〜１００ｍの領域におけるｐＨが、９〜１２である、請求項１４に記載の方法。
【請求項１６】
前記第一の気体が、空気である、請求項１に記載の方法。
【請求項１７】
前記第二の気体がさらに硫黄酸化物を含み、固体炭酸塩及び固体硫酸塩が形成される、請求項１に記載の方法。
【請求項１８】
前記流体がさらに硫黄酸化物を含み、固体硫酸塩及び固体炭酸塩が形成される、請求項１に記載の方法。
【請求項１９】
前記ＣＯ２のフローが、周囲圧力下にある、請求項２に記載の方法。
【請求項２０】
前記塩基が、ＮＨ３、ＮＨ４ＯＨ、ＮａＯＨ、または、石灰水、または、それらのあらゆる組み合わせを含む、請求項２に記載の方法。
【請求項２１】
前記ＮＨ３またはＮＨ４ＯＨが、人工の合成アンモニア源、家禽もしくは野生の鳥糞石源、家禽場、鉱床、ウシ、ブタ、ヒツジ、ウマの尿もしくは便、養魚場、海洋哺乳動物、動物の尿、または、動物性肥料、あるいは、それらのあらゆる組み合わせに由来するものである、請求項２０に記載の方法。
【請求項２２】
前記工程（ｉｉ）の混合物に、追加の塩が添加される、請求項２に記載の方法。
【請求項２３】
前記ＣＯ２のフローがさらに硫黄酸化物を含み、固体炭酸塩及び固体硫酸塩が形成される、請求項２に記載の方法。
【請求項２４】
前記流体サンプルがさらに硫黄酸化物を含み、固体硫酸塩及び固体炭酸塩が形成される、請求項２に記載の方法。
【請求項２５】
流体のＣＯ２濃度を減少させる装置であって、該装置は：
微量のＣＯ２を含む、または、ＣＯ２を含まない第一の気体を導入するための第一のコンベヤー；
少なくとも空気と水との平衡状態で見出される濃度よりも高い濃度でＣＯ２を含む第二の気体を導入するための第二のコンベヤー；および、
反応チャンバー；
を含み、これらによって、前記反応チャンバーに塩を含む溶液を添加する際に、前記第一の気体を前記第一のコンベヤーを介して前記反応チャンバーに導入し、および、前記第二の気体を前記第二のコンベヤーを介して前記反応チャンバーに導入し、前記反応チャンバー中で固体炭酸塩を形成させ、かつ、減少したＣＯ２濃度を含む未反応の気体を放出させる、上記装置。
【請求項２６】
流体サンプル中のＣＯ２濃度を減少させる装置であって、該装置は：
塩基を導入するための第一のコンベヤー；
ＣＯ２を含む流体サンプルを導入するための第二のコンベヤー；
反応チャンバー；
を含み、これらによって、前記反応チャンバーに塩を含む溶液を添加する際に、前記塩基を前記第一のコンベヤーを介して前記反応チャンバーに導入し、および、前記流体サンプルを前記第二のコンベヤーを介して前記反応チャンバーに導入し、それによって前記反応チャンバー中で固体炭酸塩が形成され、未反応の気体の放出が起こる、上記装置。
【請求項２７】
水源をさらに含む、請求項２５又は２６に記載の装置。
【請求項２８】
前記水源から前記反応チャンバーへのコンベヤーをさらに含む、請求項２５又は２６に記載の装置。
【請求項２９】
前記装置中で水源を循環させるためのポンプをさらに含む、請求項２８に記載の装置。
【請求項３０】
前記反応チャンバーから気体を放出させるためのコンベヤーをさらに含む、請求項２５又は２６に記載の装置。
【請求項３１】
塩の源及び当該塩の源から前記水源へのコンベヤーをさらに含む、請求項２７に記載の装置。
【請求項３２】
前記反応チャンバーが、自然の構成要素で形成され、該自然の構成要素によって、反応チャンバーとみなされる境界または区画が形成される、請求項２５に記載の装置。
【請求項３３】
前記第二のコンベヤーが、大気の空気を運搬する、請求項２５又は２６に記載の装置。
【請求項３４】
前記第二のコンベヤーが、前記第二の気体の源と前記反応チャンバーとの間に設置されたフィルターをさらに含む、請求項２５又は２６に記載の装置。
【請求項３５】
少なくとも１つの周囲環境の制御装置をさらに含む、請求項２５又は２６に記載の装置。
【請求項３６】
前記周囲環境の制御装置が、温度、圧力、ｐＨ、または、それらの組み合わせを制御する、請求項３５に記載の装置。
【請求項３７】
流体を制御された圧力下で前記反応チャンバーに導入するためのポンプをさらに含む、請求項２５に記載の装置。
【請求項３８】
前記塩を含む溶液が、水溶液である、請求項２５又は２６に記載の装置。
【請求項３９】
前記第一のコンベヤー、第二のコンベヤーまたはそれらの組み合わせが、前記第一の気体または第二の気体、または、それらの組み合わせを、海水、汽水、地下帯水層水、湖水、川水、または、海洋水である天然の水である前記反応チャンバーに運搬する、請求項２５に記載の装置。
【請求項４０】
前記流体が、海水、汽水、地下帯水層水、湖水、川水、または、海洋水である天然の水である、請求項２５に記載の装置。
【請求項４１】
前記第一の気体が、空気である、請求項２５に記載の装置。
【請求項４２】
塩の源をさらに含む、請求項２６に記載の装置。
【請求項４３】
前記塩の源から前記反応チャンバーへのコンベヤーをさらに含む、請求項４２に記載の装置。
【請求項４４】
前記塩基、流体サンプル、または、それらの組み合わせを前記反応チャンバーに制御された圧力下で導入するためのポンプをさらに含む、請求項２６に記載の装置。
【請求項４５】
前記第一のコンベヤー、第二のコンベヤーまたはそれらの組み合わせが、前記塩基、または、流体サンプル、または、それらの組み合わせを、海水、汽水、地下帯水層水、湖水、川水、または、海洋水である天然の水である前記反応チャンバーに運搬する、請求項２６に記載の装置。
【請求項４６】
前記塩を含む溶液が、海水、汽水、地下帯水層水、湖水、川水、または、海洋水である天然の水の一部で形成される、請求項２６に記載の装置。
【請求項４７】
流体中のＣＯ２濃度を減少させる方法であって、前記方法は、請求項２５又は２６に記載の装置に前記流体を適用することを含む、上記方法。
【請求項４８】
前記固体炭酸塩が、分離が可能な沈殿である、請求項４７に記載の方法。
【請求項４９】
前記固体炭酸塩はろ過され、そのろ液が請求項２６に記載の装置で再利用される、請求項４８に記載の方法。
【請求項５０】
微量のＣＯ２を含む、または、ＣＯ２を含まない加圧された第一の気体、空気と水との平衡状態で見出される濃度よりも高い濃度でＣＯ２を含む第二の気体、および、塩を含む流体。
【請求項５１】
前記流体が、水溶液である、請求項５０に記載の流体。
【請求項５２】
前記第二の気体が、人為的なプロセスの結果又は天然のプロセスの結果として汚染されている大気中の空気である、請求項５０に記載の流体。
【請求項５３】
前記プロセスが、廃棄物、プラスチック、ポリマー、炭化水素、炭質材料、木材、化石燃料、石炭、褐炭、ナフサ、油、ガソリン、ディーゼル燃料、ケロシン、石油、液化石油ガス（ＬＰＧ）、天然ガス、ボトルドガス、メタン、ブタン、プロパン、ガソリン添加剤、エタノール、メタノール、バイオディーゼル、モノアルキルエステル、または、それらの組み合わせを燃焼させることを含む、請求項５２に記載の流体。
【請求項５４】
前記塩が、カルシウムイオン、ナトリウムイオン、カリウムイオン、マグネシウムイオン、バリウムイオン、マンガンイオン、鉄イオン、ストロンチウムイオン、亜鉛イオン、アルミニウムイオン、または、それらのあらゆる組み合わせを含む、請求項５０に記載の流体。
【請求項５５】
前記第二の気体が、純粋なＣＯ２からなる、請求項５０に記載の流体。
【請求項５６】
前記流体が、前記ＣＯ２が過飽和した水溶液である、請求項５０に記載の流体。
【請求項５７】
前記第一の気体が、空気である、請求項５０に記載の流体。